(57)【要約】【課題】コストを抑えつつ軸上色収差による各色のＭＴＦ差を低減できる画像読取装置を提供すること。【解決手段】読取部１は、基台２０、および基台２０上に配置されたＲ色用のＣＣＤラインセンサ２１、Ｇ色用のＣＣＤラインセンサ２２、Ｂ色用のＣＣＤラインセンサ２３を備えている。ＣＣＤラインセンサ２１、２２は、ＣＣＤラインセンサ２３の位置Ｂに対し、集光レンズ２の光軸方向において、集光レンズ２の軸上色収差により生じる光軸１９上の像点位置の差分に相当する距離Ｘ、Ｙだけずらした位置Ｒ、Ｇにそれぞれ配置される。【選択図】図２
2008028458.tif 000002
【特許請求の範囲】
【請求項１】
原稿に光を照射する照射手段と、原稿に照射された光の反射光を集光するレンズ手段と、集光された光を複数の色成分に対応する画像信号に変換する複数のイメージセンサとを有する画像読取装置であって、
前記複数のイメージセンサは、
前記レンズ手段の軸上色収差によって生じる、前記レンズ手段の光軸上における前記複数の色の像点位置の差分に相当する距離だけ、前記レンズ手段の光軸方向にずれた位置に配置されていることを特徴とする画像読取装置。
【請求項２】
前記レンズ手段と対向する側の面に、前記レンズ手段の光軸方向の段差を有する階段状の段部が複数個形成されている基台を備え、
１つの段部には、１つのイメージセンサが装着され、
隣接する段部間の段差の大きさが、隣接する段部にそれぞれ装着されるイメージセンサに対応する色成分の、前記軸上色収差による前記光軸上における像点位置の差分に相当する距離に等しくなっていることを特徴とする請求項１に記載の画像読取装置。
【請求項３】
前記複数のイメージセンサのそれぞれを個別に前記レンズ手段の光軸方向に移動させる移動機構を備えることを特徴とする請求項１に記載の画像読取装置。
【発明の詳細な説明】
【技術分野】
【０００１】
本発明は、原稿に光を照射する照射手段と、原稿に照射された光の反射光を集光するレンズ手段と、集光された光を複数の色成分に対応する画像信号に変換する複数のイメージセンサとを有する画像読取装置に関し、特にレンズ手段の軸上色収差によって生じる画像劣化の防止を図る技術の改良に関する。
【背景技術】
【０００２】
スキャナなどの画像読取装置では、原稿からの反射光をレンズを介して読み取る撮像素子として、異なる複数の色、例えばＲ（赤）、Ｇ（緑）、Ｂ（青）の色成分を個別に読み取るＲ色用、Ｇ色用、Ｂ色用の３つのＣＣＤ（Charge Coupled Device）ラインセンサを備えるものが多い。
従来、撮像素子は、３つのＣＣＤラインセンサをレンズの光軸に垂直な同一平面上に並べて配置した構成がとられているが、同一平面上に配置する構成では、レンズの軸上色収差によりレンズの光軸上において各色の像点位置に差が生じ、各色のＭＴＦ（Modulation Transfer Function）に差が生じることになる。このようなＭＴＦ差は、読取画像の色再現性の劣化原因になる。
【０００３】
そこで、特許文献１には、レンズと撮像素子との間の光路上に、入射光をＲ、Ｇ、Ｂの３色の光に分解し反射回折させて出力する色分解手段を配置し、分解された３色の光の結像位置と撮像素子との位置とが合致するように、撮像素子を光軸に対し副走査方向に傾けて配置することで、軸上色収差を補正する技術が開示されている。
【特許文献１】特開平５−５３０８０号公報
【発明の開示】
【発明が解決しようとする課題】
【０００４】
しかしながら、特許文献１の技術では、色分解手段を別途配置しなければならず、コスト増加になるという問題がある。また、色分解手段の追加によりレンズ、色分解手段、撮像素子の光学的な位置関係の調整が困難かつ時間を要するという問題がある。これは、レンズ、色分解手段、撮像素子を光路上に配置する場合、３つの部材間の位置関係が所定条件を満たすように調整する必要があり、例えばレンズと色分解手段間および色分解手段と撮像素子間それぞれの位置関係が所定条件を満たすように調整しても、レンズと撮像素子間の位置関係が所定条件を満たしていなければ、位置調整を始めからやり直すといった作業を強いられるからである。
【０００５】
本発明は、上記の問題点に鑑みてなされたものであって、コスト低減と調整の容易化を図りつつ軸上色収差による色再現性の劣化を抑制できる画像読取装置を提供することを目的としている。
【課題を解決するための手段】
【０００６】
上記目的を達成するため、本発明に係る画像読取装置は、原稿に光を照射する照射手段と、原稿に照射された光の反射光を集光するレンズ手段と、集光された光を複数の色成分に対応する画像信号に変換する複数のイメージセンサとを有する画像読取装置であって、前記複数のイメージセンサは、前記レンズ手段の軸上色収差によって生じる、前記レンズ手段の光軸上における前記複数の色の像点位置の差分に相当する距離だけ、前記レンズ手段の光軸方向にずれた位置に配置されていることを特徴とする。
【発明の効果】
【０００７】
これにより、軸上色収差を有するレンズ手段を用いても軸上色収差の影響を受けない位置に各イメージセンサを配置することが可能になり、レンズ手段とイメージセンサ間に色分解手段などの別の光学素子を配置することなく各色のＭＴＦ差を低減でき、色再現性の向上を図れる。また、色分解手段などを別途配置する必要がないので、調整の容易化および時間の短縮化を図ることができる。
【０００８】
また、前記レンズ手段と対向する側の面に、前記レンズ手段の光軸方向の段差を有する階段状の段部が複数個形成されている基台を備え、１つの段部には、１つのイメージセンサが装着され、隣接する段部間の段差の大きさが、隣接する段部にそれぞれ装着されるイメージセンサに対応する色成分の、前記軸上色収差による前記光軸上における像点位置の差分に相当する距離に等しくなっていることを特徴とする。
【０００９】
このような基台を用いれば、各イメージセンサの、上記光軸方向にずれた位置への配置に要する作業の容易化を図ることができる。
さらに、前記複数のイメージセンサのそれぞれを個別に前記レンズ手段の光軸方向に移動させる移動機構を備えることを特徴とする。
このようにすれば、装置毎に特性が異なるレンズ手段を用いる場合でも、使用されるレンズ手段に応じて各イメージセンサの配置位置を調整することができる。
【発明を実施するための最良の形態】
【００１０】
以下、本発明に係る画像読取装置の実施の形態を図面を参照しながら説明する。
図１は、画像読取装置１０の概略構成を示す図である。
同図に示すように画像読取装置１０は、移動光学系の一つであるスキャナ移動方式により原稿画像を読み取る装置であり、読取部１、集光レンズ２、スキャナ３、ミラー６、７等を備える。
【００１１】
ここで、レンズ手段としての集光レンズ２は、複数枚のレンズが組み合わされてなる、いわゆるアクロマートレンズと呼ばれる２結像レンズ（４群６枚、Ｆナンバー：５）であり、屈折率の異なるレンズの組を用いて、Ｒ、Ｇ、Ｂの各色成分の光に対する軸上色収差の影響をある程度まで低減させたものである。なお、後述のように、本実施の形態の集光レンズ２は、各色の軸上色収差による光軸上の結像位置が集光レンズ２に近い方からＧ、Ｂ、Ｒ色の順になる特性を有している。
【００１２】
スキャナ３は、原稿１７を照射するための露光ランプ４、ミラー５を有している。ミラー６、７は、スライダー１６に一対となって保持されている。スキャナ３とスライダー１６は、同図の矢印ａ方向に移動自在に保持されている。
原稿画像の読み取り時には、プラテンガラス９上にセットされた原稿１７が露光ランプ４により照射され、スキャナ３がスキャナモータ（不図示）の駆動により矢印ａ方向に移動（スキャン）して、原稿１７が露光走査される。その際、ミラー６、７は、スキャナ３の２分の１の速度で同一方向に移動する。これにより原稿面から集光レンズ２までの光路の長さが一定に維持される。
【００１３】
原稿１７に照射された光の反射光は、ミラー５、６、７を介して、集光レンズ２に入射され、集光レンズ２の集光作用により集光されて、読取部１で読み取られる。読取部１は、原稿の反射光を受光すると、これをＲ、Ｇ、Ｂの各色成分の画像信号にそれぞれ光電変換し、制御部８に送る。
制御部８は、受信した画像信号にシェーディング補正等の公知の補正処理を施して画像データとして内部の記憶部に記憶し、読み出しの指示を受け付けると、当該記憶部から画像データを読み出して出力する。
【００１４】
図２は、読取部１の構成を示す側面図であり、図３は、読取部１を図２の矢印ｂ方向から見たときの斜視図である。なお、両図では、各部材の配置関係を解り易くするため拡大等して示しており、実際の縮尺通りには描かれていない。また、図２では、原稿からの反射光のうち、集光レンズ２の光軸１９を通る光だけを１本の線で現している。
両図に示すように、読取部１は、基台２０およびＣＣＤラインセンサ２１〜２３を備えている。ＣＣＤラインセンサ２１は、原稿の反射光を受光すると、これをＲ色成分の画像信号に光電変換する撮像素子である。
【００１５】
同様にＣＣＤラインセンサ２２は、Ｇ色の画像信号に、ＣＣＤラインセンサ２３は、Ｂ色成分の画像信号にそれぞれ光電変換する撮像素子である。ここでは、解像度が６００〔ｄｐｉ〕のセンサが用いられている。
基台２０は、樹脂からなり、集光レンズ２と対向する側の面には、集光レンズ２の光軸方向の段差２４、２５を有する階段状の段部２０１、２０２、２０３が形成されている。
【００１６】
ＣＣＤラインセンサ２１は、段部２０１に装着され、ＣＣＤラインセンサ２２は、段部２０２に装着され、ＣＣＤラインセンサ２３は、段部２０３に装着される。
ここでは、段部２０１〜２０３における集光レンズ２との対向面２０１１〜２０３１それぞれに、ＣＣＤラインセンサを装着するための細長い溝状の凹部（不図示）が設けられ、段部毎に、当該段部の集光レンズ２との対向面と当該段部への装着後のＣＣＤラインセンサの受光面とが略面一になるように、各凹部に、対応するＣＣＤラインセンサが装着される構成になっている。
【００１７】
基台２０の大きさは、本実施の形態では、幅Ｗが約１０５〔ｍｍ〕、奥行きｄが約８〔ｍｍ〕、高さｈが約１０〔ｍｍ〕になっている。もちろん、この寸法に限定されないことはいうまでもない。
図２に示すように、ＣＣＤラインセンサ２１は、その受光面が、ＣＣＤラインセンサ２３の受光面の位置Ｂに対し、集光レンズ２の光軸方向に距離Ｘ（段差２４の大きさに相当）だけずれた位置Ｒに位置するように配置される。また、ＣＣＤラインセンサ２２は、その受光面が、ＣＣＤラインセンサ２３の受光面の位置Ｂに対し光軸方向に距離Ｙ（段差２５の大きさに相当）だけずれた位置Ｇに位置するように配置される。
【００１８】
このような配置とすることにより、集光レンズ２の軸上色収差によって生じる各色のＭＴＦ差を低減できると共に各色のＭＴＦを増大させることができる。以下、この理由を、図７に示す比較例の配置構成（ＣＣＤラインセンサ２１〜２３を光軸１９に直交する面２９上に並べて配置する構成）と比較しながら説明する。
図４は、原稿からの反射光１８が集光レンズ２を通って集光される様子を模式的に示す図である。
【００１９】
同図に示すように、反射光１８の、Ｒ色成分の光１８Ｒ、Ｇ色成分の光１８Ｇ、Ｂ色成分の光１８Ｂは、アクロマートレンズとしての集光レンズ２が有する軸上色収差の作用により、ここでは光軸１９上において異なる像点位置Ｒａ、Ｇａ、Ｂａに集光される。
各像点位置は、各色成分の光軸方向における結像位置に相当する。従って、ＭＴＦを向上させるには、同図に示すように、例えばＲ色についていえば、光軸方向におけるＣＣＤラインセンサ２１の配置位置を像点位置Ｒａとし、Ｇ色では、ＣＣＤラインセンサ２２の配置位置を像点位置Ｇａとし、Ｂ色では、ＣＣＤラインセンサ２３の配置位置を像点位置Ｇａとするのが最良ということになる。
【００２０】
図５は、４．５本／ｍｍのラダーチャート原稿を、実際に集光レンズ２を用いて読み取った場合における各色のＭＴＦ曲線３１〜３３の例を示す図である。
同図の横軸は、光軸上の距離を、縦軸は、ＭＴＦによるコントラストの再現性を百分率で示している。横軸の距離とは、光軸方向におけるＣＣＤラインセンサの配置予定位置を原点０とし、原点を基準に集光レンズ２側をマイナス側、その反対側をプラス側としたときの原点からの距離である。ＭＴＦ曲線３１は、Ｒ色のＭＴＦを、ＭＴＦ曲線３２は、Ｇ色のＭＴＦを、ＭＴＦ曲線３３は、Ｂ色のＭＴＦをそれぞれ示している。
【００２１】
ここでは、集光レンズ２を固定し、ＣＣＤラインセンサ２１〜２３を光軸方法に移動させて各位置における各色のＭＴＦを計測したときの実験結果が示されている。
例えば、Ｒ色のＭＴＦ曲線３１を見ると、距離＋０．０７〔ｍｍ〕の位置にＭＴＦのピークが来ており、距離＋０．０７〔ｍｍ〕の位置から光軸方向に離れるに連れてＭＴＦが低下していくことが解る。従って、距離＋０．０７〔ｍｍ〕の位置が、図４に示す像点位置Ｒａに相当する位置ということになる。
【００２２】
同様に、Ｇ色のＭＴＦ曲線３２を見ると、距離−０．０４〔ｍｍ〕の位置にＭＴＦのピークがあり、この位置が、図４の像点位置Ｇａに相当する位置になる。また、Ｂ色のＭＴＦ曲線３３では、距離−０．０２〔ｍｍ〕の位置にピークがあり、この位置が、図４の像点位置Ｂａに相当する位置ということになる。
このように各色成分でピーク位置が異なるので、例えば図７に示す比較例の配置（同一平面上に並べる配置）構成をとる場合に、Ｒ色についてＭＴＦのピークを示す８５〔％〕の位置、すなわち距離＋０．０７〔ｍｍ〕の位置に全てのＣＣＤラインセンサ２１〜２３を配置すれば、Ｇ、Ｂ色については、ＭＴＦが７０〔％〕、７５〔％〕になり、ＭＴＦ差が大きくなる。ＭＴＦ差を小さくするため、図５の丸印で示す距離＋０．０２５〔ｍｍ〕付近の位置ＭにＣＣＤラインセンサ２１〜２３を配置することもできるが、このようにすると各色のＭＴＦが全て８０〔％〕に低下し再現性が劣化してしまう。
【００２３】
また、一般のユーザに画質劣化が顕著になったと感じさせる目安となるＭＴＦの大きさ、例えば６０〔％〕以上をとれる焦点深度の範囲Ａも１８０〔μｍ〕と狭い範囲になる。範囲Ａが狭い（焦点深度が小さい）と、例えば原稿に少しの凹凸が生じた場合でもその凹凸量が焦点深度よりも大きくなって再現性が劣化、すなわち人の目に画質劣化と感じさせ易くなってしまう。
【００２４】
これに対し、図２に示す本実施の形態の配置（光軸方向にずらす配置）とすると、レンズ２の軸上色収差に応じて色ごとにＭＴＦのピークが来る位置にＣＣＤラインセンサ２１〜２３を配置することができるので、各色の再現性向上を図ることが可能になる。
光軸方向へのずれ量は、次の方法により求めることができる。まず、図２で示す距離Ｘ、Ｙを、下記の式１、式２により求める。
【００２５】
Ｘ＝Ｂａ−Ｒａ・・・式１
Ｙ＝Ｂａ−Ｇａ・・・式２
ここで、Ｒａ、Ｇａ、Ｂａは、図４で示す各色の像点位置（図５のＭＴＦのピーク位置）のことである。従って、距離Ｘは、Ｂ色に対するＲ色の光軸方法における像点位置の差分、距離Ｙは、Ｂ色に対するＧ色の光軸方向における像点位置の差分ということになる。
【００２６】
上記例では、Ｒａ＝＋０．０７、Ｇａ＝−０．０４、Ｂａ＝−０．０２であるから、Ｘ＝−０．０９〔ｍｍ〕、Ｙ＝＋０．０２〔ｍｍ〕になる。
図２に示すように位置Ｂを基準に、光軸方向に集光レンズ２側をプラス側、逆側をマイナス側として、距離Ｘだけ光軸方向にずらした位置ＲをＣＣＤラインセンサ２１の配置位置、距離Ｙだけ光軸方向にずらした位置ＧをＣＣＤラインセンサ２２の配置位置とすると、基台２０上における各色の光軸方向における相対位置を固定できることになる。
【００２７】
具体的には、ＣＣＤラインセンサ２１の位置Ｒは、位置Ｂを基準に、光軸方向であって集光レンズ２から遠ざかる方向に距離９０〔μｍ〕だけ離れた位置になる。ＣＣＤラインセンサ２２の位置Ｇは、位置Ｂを基準に、光軸方向であって集光レンズ２に近づく方向に距離２０〔μｍ〕だけ離れた位置ということになる。
この位置の決定は、レンズ設計時などに行われ、決定された位置関係に基づき、基台２０の段差２４、２５の大きさが決められる。位置が決定されると、決定された位置で各ＣＣＤラインセンサを装着可能なように、基台２０を射出成型するための金型が作製され、作製された金型が用いられて基台２０が製造される。
【００２８】
製造された基台２０の段部２０１〜２０３には、上記の如くＣＣＤラインセンサ装着のための凹部が設けられ、各凹部にＣＣＤラインセンサが装着されて、読取部１が作製される。
図６は、ＣＣＤラインセンサ２１〜２３の配置を図２に示す配置としてＭＴＦを測定した場合のＭＴＦ曲線の結果例を示す図である。同図に示すように、各色についてＭＴＦ曲線３１〜３３が略一致していることが解る。
【００２９】
従って、画像読取装置１の製造時に、いずれかの色、例えばＢ色についてＭＴＦがピークになる位置にＢ色のＣＣＤラインセンサ２３が位置するように基台２０の光軸方向における配置位置を調整すれば、他のＲ色、Ｇ色についてもＭＴＦがピークになる位置に配置されたことになり、図６に示すように各色のＭＴＦ差をほとんどなくすことができ、かつ各色のＭＴＦを８５〔％〕と極力大きくとることが可能になる。
【００３０】
この位置調整の方法としては、例えば基台２０を光軸方向に移動（スライド）自在に保持し、いわゆるネジ送り機構を用いて基台２０を光軸方向にスライドさせる方法をとることができる。もちろん、位置調整が可能であれば、ネジ送り機構に限られることはない。
以上説明したように、本実施の形態では、集光レンズ２の光軸方向において、集光レンズ２の軸上色収差による各色の像点位置の差分をずらした位置に、対応する色用のＣＣＤラインセンサを配置する構成としている。これより、従来のように集光レンズ２と読取部１との間に色分解手段を配置する必要がなくコストを低減でき、かつ色分解手段を配置しないので、色分解手段の光学的な位置関係を集光レンズとＣＣＤラインセンサの位置に応じてミクロン単位で調整するといった作業が一切不要になり作業性が向上する。そして、集光レンズ２として軸上色収差を有するレンズ手段を用いても、各色のＭＴＦ差を低減できると共に各色のＭＴＦを大きく取ることができる。これによりコントラストの再現性向上を図れる。
【００３１】
また、図６に示すように、ＭＴＦ６０〔％〕以上をとれる焦点深度の範囲が範囲Ａに加えて範囲Ｂ、Ｃの分が増えて約２９０〔μｍ〕に拡大されるので、例えば原稿に凹凸があっても、焦点深度の範囲が広い分だけ凹凸の許容量を拡大でき、人の目に画質劣化と感じさせ難くなる。
（変形例）
以上、本発明を実施の形態に基づいて説明してきたが、本発明は、上述の実施の形態に限定されないのは勿論であり、以下のような変形例が考えられる。
【００３２】
（１）上記実施の形態では、基台２０にＣＣＤラインセンサ２１〜２３を固定する構成としたが、読取部１におけるＣＣＤラインセンサの取着方法は、これに限られない。例えば、移動可能に保持する構成をとることもできる。
図８は、本変形例における読取部４１の構成を示す側面図である。
同図に示すように、読取部４１は、基台４２、サブ基台４３〜４５、アクチュエータ４６およびＣＣＤラインセンサ２１〜２３を備えている。ここでＣＣＤラインセンサ２１〜２３は、上記実施の形態と同じものである。
【００３３】
アクチュエータ４６は、３つの可動片４６１〜４６３を有し、可動片４６１〜４６３を個別に光軸方向に進退可能な公知の電気機械変換素子である。
サブ基台４３〜４５は、それぞれ基台４２上において光軸方向にスライド自在に保持されると共にアクチュエータ４６の可動片４６１〜４６３の先端と接続されており、アクチュエータ４６の動作により光軸方向に移動可能になっている。
【００３４】
サブ基台４３の集光レンズ２側の位置には、ＣＣＤラインセンサ２１が固定されている。同様に、サブ基台４４の集光レンズ２側の位置には、ＣＣＤラインセンサ２２が、サブ基台４５の集光レンズ２側の位置には、ＣＣＤラインセンサ２３が固定されている。この固定方法は、例えば上記実施の形態と同じとすることができる。
このような移動機構をとることにより、例えば画像読取装置１０の製造時においてアクチュエータ４６の各可動片４６１〜４６３を動作させて、ＣＣＤラインセンサ２１〜２３の光軸方向における位置を個別に調整することができる。従って、装置の種別毎に軸上色収差が異なる種類の集光レンズを用いる場合でも、基台４２自体を共用でき、種類の異なるレンズ毎に専用の金型を作製して専用の基台を製造するよりも、必要とされる金型の数を少なくできる分だけコストを抑えることが可能になる。
【００３５】
なお、移動機構としては、各ＣＣＤラインセンサを個別に光軸方向に移動できれば良く、上記のアクチュエータ４６等を用いる構成に限られないことはいうまでもない。
（２）上記実施の形態では、レンズ手段として複数枚のレンズを組み合わせてなる集光レンズ２を用いるとしたが、原稿からの反射光を集光するレンズであれば、例えば１枚のレンズを用いる構成としても良い。
【００３６】
図９は、１枚の集光レンズ５０を用いた場合の例を示す図である。
同図の集光レンズ５０は、軸上色収差によるＲ、Ｇ、Ｂ色の像点位置Ｒａ、Ｇａ、Ｂａが集光レンズ５０に近い方からＢ、Ｇ、Ｒ色の順になる特性を有している。なお、集光レンズ５０は、軸上色収差による各色の像点位置の差が上記の集光レンズ２よりも大きいものである。
【００３７】
この集光レンズ５０を用いる場合、読取部５１のＣＣＤラインセンサ２１〜２３は、光軸方向に集光レンズ５０に近い方からＣＣＤラインセンサ２３、２２、２１の順に各像点位置の差分に応じた位置に配置される。これにより、軸上色収差の影響を抑えて各色のＭＴＦ差を低減できる。
このように軸上色収差による各色の像点位置は、使用されるレンズ手段の特性により変わり得るので、その像点位置の差に応じた位置に、対応する色用のＣＣＤラインセンサを配置することにより、上記同様に各色のＭＴＦ差を低減できることになる。
【００３８】
（３）上記実施の形態では、基台２０、４２を樹脂製としたが、ＣＣＤラインセンサを装着可能な部材であれば樹脂に限定されず、例えば金属製とすることもできる。さらに、イメージセンサとして１次元のＣＣＤラインセンサを用いた例を説明したが、これに限られることはない。例えば、２次元のＣＣＤセンサやＣＭＯＳセンサなどを用いるとしても良い。また、複数の異なる色成分としては、Ｒ、Ｇ、Ｂ色に限られない。読取部が各色に対応する複数のイメージセンサを備える構成であれば良い。
【００３９】
また、上記実施の形態及び上記変形例をそれぞれ組み合わせるとしても良い。
【産業上の利用可能性】
【００４０】
本発明は、レンズと複数のイメージセンサを有する画像読取装置であって、レンズの軸上色収差によって生じる画像劣化の防止を図る技術として有用である。
【図面の簡単な説明】
【００４１】
【図１】画像読取装置１０の概略構成を示す図である。
【図２】画像読取装置１０に備えられる読取手段１の構成を示す側面図である。
【図３】読取手段１の構成を示す斜視図である。
【図４】原稿からの反射光１８の、各色成分の光１８Ｒ、１８Ｇ、１８Ｇが、集光レンズ２の軸上色収差により、光軸１９上において異なる像点位置Ｒａ、Ｇａ、Ｂａに結像する様子を模式的に示す図である。
【図５】４．５本／ｍｍのラダーチャート原稿を、軸上色収差を有する集光レンズ２を用いて読み取った場合における各色のＭＴＦ曲線３１〜３３の例を示す図である。
【図６】ＣＣＤラインセンサ２１〜２３の配置を図２に示す配置とした場合のＭＴＦ曲線の例を示す図である。
【図７】ＣＣＤラインセンサ２１〜２３を光軸１９に直交する面２９上に並べて配置した場合の比較例の構成を示す図である。
【図８】変形例における読取部４１の構成例を示す側面図である。
【図９】変形例における読取部５１の構成例を示す側面図である。
【符号の説明】
【００４２】
１、４１、５１      読取部
２、５０      集光レンズ
４      露光ランプ
１７      原稿
１９      光軸
２０、４２      基台
２１、２２、２３      ＣＣＤラインセンサ
２４、２５      段差
４６      アクチュエータ
２０１、２０２、２０３      段部
Ｒａ、Ｇａ、Ｂａ      像点位置
Ｘ、Ｙ      像点位置の差分
【図１】
2008028458.tif 000003
【図２】
2008028458.tif 000004
【図３】
2008028458.tif 000005
【図４】
2008028458.tif 000006
【図５】
2008028458.tif 000007
【図６】
2008028458.tif 000008
【図７】
2008028458.tif 000009
【図８】
2008028458.tif 000010
【図９】
2008028458.tif 000011